(57)【要約】【課題】単一装置による記録、再生時のトラックオフセットの補正を行うだけでなく、記録装置の違いによる最適トラックオフセットの補正を精度良く行う。【解決手段】情報の記録及び再生を最適に行うためのトラッキング制御のトラックオフセット値を検出する手段を有し、情報の記録時と再生時とで独立に最適トラックオフセット値を検出する。そして、記録時と再生時とで、トラッキング制御におけるトラックオフセット値をそれぞれ検出された最適トラックオフセット値に設定してトラッキング制御を行う。【選択図】        図１
2004272954.tif 000002
【特許請求の範囲】
【請求項１】
光学的情報記録媒体の記録トラック上に光スポットをトラッキング制御しながら情報の記録及び記録情報の再生を行う光学的情報記録再生装置において、前記光スポットのトラッキング制御を行う手段と、前記情報の記録及び再生を最適に行うためのトラッキング制御のトラックオフセット値を検出する手段とを有し、前記検出手段は前記情報の記録時と再生時とで独立に前記オフセット値を検出することを特徴とする光学的情報記録再生装置。
【発明の詳細な説明】
【０００１】
【発明の属する技術分野】
本発明は、光ディスク装置等の光学的情報記録再生装置に関し、特に、トラッキング制御におけるトラックオフセットの設定に関するものである。
【０００２】
【従来の技術】
一般的な光ディスクにおけるトラッキング方法では、プッシュプル方式によるものや、サンプルサーボのウォブルピットによるもの等の検出方法により、検出されたトラッキングエラー信号を用いて制御を行っている。どちらの場合も、トラッキングエラー信号振幅の中心点を基準として制御を行っている。
【０００３】
また、近年、狭トラックピッチ化等により光ディスクの高密度化がなされており、トラッキング制御に要求される精度も高まってきている。即ち、単に、トラッキングエラー信号振幅の中心点に制御するだけでなく、再生信号が最適な状態となるように、ＲＦ信号の最大振幅点もしくはジッタ−やエラーレ−ト等の最良点等にトラッキング制御の目標がくるように記録時又は再生時にオフセット等を加えて制御するようになってきている（特開２０００−２００４３５等）。
【０００４】
オフセット等の値を求める方法としては、ＲＦ信号の最大振幅点を求める方法、ジッタ−、エラーレート等の最適点を求める方式等どの方式にしても、所定のテスト領域のトラックで記録動作を行い、そのトラックの再生時にトラッキング制御系に所定のオフセット量を与えては、ＲＦ信号の最良点を探す動作を繰り返す等の方法が採られている。
【０００５】
【発明が解決しようとする課題】
ところで、従来の装置においては記録時と再生時とでオフセットを切り替えるという考えはなく、記録または再生時の一方で測定されたオフセット値を他方の動作時にも利用している。しかしながら、単一の装置で記録、再生を行っている場合は、記録と再生とで共通のオフセットであっても問題はないが、異なる装置で記録されたディスクを再生する場合には、記録を行った装置で測定したオフセット値が再生を行う装置において最適なオフセットとは限らない。即ち、装置のバラツキ、記録時の環境の違い等でオフセット値が異なり、最適な再生が行えないという問題があった。
【０００６】
また、磁壁移動型光磁気記録媒体のような高密度光ディスクにおいては、狭トラックピッチ化が進み、記録時と再生時とで最適オフセットが異なるという問題もあった。これは、記録時にはクロスライトやクロスイレースを考慮した最適オフセットの設定が必要であり、また、再生時には再生信号品質の最も良好なオフセット設定が必要となるためであった。
【０００７】
本発明は、従来のこのような問題を解決するために成されたものであり、単一の装置での記録、再生時の最適トラックオフセット補正を行うだけでなく、記録装置の違いによる最適トラックオフセット補正を精度よく行うことを目的とする。
【０００８】
【課題を解決するための手段】
上記目的を達成するため、本出願による発明は、光学的情報記録媒体の記録トラック上に光スポットをトラッキング制御しながら情報の記録及び記録情報の再生を行う光学的情報記録再生装置において、前記光スポットのトラッキング制御を行う手段と、前記情報の記録及び再生を最適に行うためのトラッキング制御のトラックオフセット値を検出する手段とを有し、前記検出手段は前記情報の記録時と再生時とで独立に前記オフセット値を検出することを特徴とする。
【０００９】
本発明においては、単一の装置による記録、再生時に最適なトラック位置で記録再生を行うことはもちろんのこと、他の装置で記録されたデータであっても最適なトラッキング位置で再生を行うことができる。また、記録時と再生時における最適トラックオフセット値の補正を精度良く短時間で行うことができる。
【００１０】
【発明の実施の形態】
次に、本発明の実施の形態について図面を参照して詳細に説明する。
【００１１】
（第１の実施形態）
図１は本発明による光学的情報記録再生装置の第１の実施形態の構成を示すブロック図である
。図１において、１は情報記録媒体であるところの光ディスク、２は光ディスク１に記録再生用光ビームを照射する光ヘッドである。光ヘッド２は記録再生用光源であるレーザ光源、レーザ光源のレーザビームを集光する対物レンズ、光ディスク１からの反射光を検出する光検出器、対物レンズをフォーカス方向、トラッキング方向に変位させるフォーカスアクチュエータやトラッキングアクチュエータ等を含んでいる。
【００１２】
１４は光ディスク１の光ヘッド２からの光ビーム照射部位に記録用磁界を印加する磁気ヘッドである。光ディスク１はスピンドルモータ１０の駆動により回転する。また、光ディスク１は磁壁移動型光磁気記録媒体（ＤＷＤＤ）とする。
【００１３】
３は光ヘッド２内のディスク反射光を検出する光検出器の受光信号を検出する検出回路である。検出回路３のサーボ領域の信号出力はトラッキングエラー検出回路４に出力され、後述するウォブルピットからトラッキングエラー信号が検出される。５はオフセット加算回路であり、トラッキングエラー信号にオフセット発生器８からのオフセットを加算する。
【００１４】
６はオフセット加算回路５からのトラッキングエラー信号の位相補償を行う位相補償回路、９は位相補償回路６の出力により光ヘッド２内のトラッキングアクチュエータを駆動するドライバーである。この光ヘッド２の光検出器からトラッキングアクチュエータまでトラッキング制御ループが形成され、光ヘッド２から光ディスク１上に照射された光スポットのトラッキング制御を行う。なお、図１ではフォーカス制御ループについては省略している。
【００１５】
また、７は光ヘッド２内の光検出器の出力から光ディスク１のサーボ領域内のクロックピットを検出するクロック検出回路である。クロック検出回路７の出力はトラッキングエラー検出回路４やアドレス再生回路１３に出力され、トラッキングエラー検出回路４におけるウォブルピットの検出タイミング信号、アドレス再生回路１３におけるアドレスピット検出タイミング信号として用いられる。
【００１６】
アドレス再生回路１３は検出回路３の出力からクロック検出回路７のタイミング信号によりアドレスピットを検出し、アドレスをデコードする。また、１１は検出回路３からＲＦ信号を検出し、その再生品位を検出するＲＦ信号品位検出回路、１２は装置内の各部を制御するコントローラであり、光ヘッド２内のレーザ光源の制御、後述する記録時と再生時の最適トラックオフセットの検出、記録時と再生時でそれぞれ検出した最適トラックオフセットに設定してトラッキング制御を行う等の様々な制御を行う。
【００１７】
光ディスク１は、図２に示すようにトラックがサーボ領域ａ、データ領域ｂの２つの領域を１セグメントとして複数のセグメントに分割されたサンプルサーボ方式のディスクである。サーボ領域ａには図２に示すようにミラー領域にクロックピットｃ、ウォブルピットｄ、アドレスピットｅが設けられている。
【００１８】
データ領域ｂはサーボ領域ａにより分断されており、１トラック（１回転）で１２８０のセグメントに分かれている。また、トラックアドレスは１トラック（１回転）に１つづつ割り当てられ、アドレスピットより読み出すことが可能である。各トラックの最初のセグメントが０セグメントで最後のセグメントが１２７９セグメントとなる。また、ウォブルピットｄの配列からわかるようにトラック毎に隣のトラックのウォブルピットを共有するようになっており、トラッキングの極性は１トラック毎に反転する仕様となっている。
【００１９】
次に、本実施形態の動作について説明する。まず、記録と再生動作を簡単に説明する。光ディスク１に情報を記録する場合には、光ディスク１をスピンドルモータ１０の駆動により回転させて、磁界変調方式によりＤＷＤＤ信号の記録を行う。この時、光ヘッド２内の光検出器でディスクからの反射光が検出され、光検出器の受光信号が検出回路３で検出される。
【００２０】
トラッキングエラー検出回路４では上述のようにウォブルピットからトラッキングエラー信号が検出され、更に、オフセット発生回路８からのオフセット値がオフセット加算回路５で加算され、それに基づいて光ヘッド２からの光ビームがデータトラックに追従するようにトラッキング制御を行う。また、光ヘッド２からの光ビームがディスクのデータ面に合焦するようにフォーカス制御を行う。
【００２１】
一方、上位装置（図示せず）から記録データが転送され、転送された記録データは記録データ変調回路（図示せず）により変調される。また、その変調信号により図示しない磁気ヘッド駆動回路を介して磁気ヘッド１４が駆動され、光ディスク１上に記録信号に応じて変調された記録磁界が印加される。同時に、光ヘッド２から図示しないレーザ光源の記録パワーの光ビームが照射され、光ディスク１のデータトラック上にＤＷＤＤのデータ記録を行う。
【００２２】
光ディスク１の情報を再生する場合には、光ヘッド２内からレーザ光源の再生パワーの光ビームが照射され、光ヘッド２内の光検出器でディスクからの反射光が検出される。光検出器の受光信号は検出回路３で検出され、図示しない再生回路では検出回路３の出力から再生信号を生成する。また、再生回路では復調等の信号処理を行い、光ディスク１のデータトラック上のＤＷＤＤデータの再生を行う。
【００２３】
この場合も、記録時と同様にトラッキングエラー信号にオフセット値を加算してトラッキング制御を行うが、後述するように記録時とは独立して再生に最適なトラックオフセット値を加算してトラッキング制御を行う。勿論、フォーカス制御も行う。このように記録時と再生時とで独立に最適トラックオフセットの検出を行い、記録時と再生時とでオフセット発生回路８にそれぞれ最適トラックオフセット値を設定してトラッキング制御を行う。
【００２４】
次に、記録時と再生時の最適トラックオフセットの検出方法について説明する。まず、記録時の最適トラックオフセットを検出する場合は、光ディスク１の所定のテスト用記録領域で行うトラックオフセット検出シーケンスにより検出を行う。図３はその処理を示すフローチャートである。
【００２５】
図３において、まず、コントローラ１２は図示しないシークモータ等のシーク手段を制御し、光ヘッド２と磁気ヘッド１４の所定テスト用記録領域へのシークを行う（Ｓ３０１）。このシークにより目的の記録開始トラックアドレス手前のトラックにアクセスし、トラック追従動作に入る。
【００２６】
この状態で、コントローラ１２はアドレス再生回路１３のアドレスを監視し（Ｓ３０２）、記録開始トラックアドレスのセグメント０に到達したら、光ヘッド２内のレーザ光源を記録パワーにすると共に、所定の記録データを変調し、それに基づいて磁気ヘッド１４を駆動することでＤＷＤＤ信号の記録を開始する（Ｓ３０３）。また、コントローラ１２は記録開始時点のオフセットが０になるようにオフセット発生回路８を設定する。
【００２７】
信号の記録を行う場合は、コントローラ１２はアドレス再生回路１３のアドレスを監視してセグメント番号をチェックし、開始アドレスから終了アドレスまでセグメント番号が６４増える毎にオフセットを変更しながら記録を行う（Ｓ３０４〜Ｓ３０６）。オフセットの変更方法としては、例えば、図４に示すように調整時のプラス最大オフセットまで増加させた後、マイナス側最大オフセットまで減少させ、１トラック終了セグメントでは０に戻るように設定する。
【００２８】
図４は記録時のオフセット設定テーブルの一例を示す。図４の横軸はセグメント番号、縦軸はオフセット量の最大量からのパーセンテージである。図４では、６４セグメント毎にオフセットを変更し、最大１００％から−１００％へ１１段階のオフセットを設定できるようになっている。例えば、トラックピッチ０．５４μｍの光ディスクにおいて、データ記録再生のためにトラックオフセットとして与えられる最大量を±０．０５μｍとすると、０．０１μｍ刻みに±０．０５μｍ振ることが可能となる。
【００２９】
なお、オフセット変更のセグメント数は、６４毎に限定されるものではなく、サーボの過渡応答特性に合わせて任意のセグメント数に設定しても良い。また、オフセットの変化率も図４のように単調増加、単調減少ではなく正弦波のようなものでも良し、また、１トラックすべてを使用せずにトラックジャンプのための期間を設けても良い。
【００３０】
例えば、１２８０セグメントのうち１２８セグメント分をジャンプ領域とし、残りの１１５２セグメントを等分してトラックオフセットを変化させて信号の記録を行い、更に、ジャンプ期間を利用して１２８セグメントの期間にジャンプし、記録したトラックに戻ることで、回転待ちのないオフセット検出が可能となる。
【００３１】
信号の記録は３トラックに渡って同じ記録動作を行い、終了セグメントで記録を終了する。オフセットはセグメント番号に合わせて３トラックで同じ量を与えているので、同じセグメント番号では同じオフセット量となる。記録するデータは既知の擬似ランダム信号を３トラックに同じ様に記録する。
【００３２】
次に、記録したデータの再生を行う。再生は記録した３トラックのうち中央のトラックとする。まず、中央のトラックにシークを行う（Ｓ３０７）。このシークにより目的の再生開始トラックアドレス手前のトラックにアクセスし、トラック追従動作に入る。
【００３３】
コントローラ１２はアドレス再生回路１３のアドレスを監視し（Ｓ３０８）、再生開始トラックアドレスのセグメント０に到達したら、光ヘッド２内のレーザ光源を再生パワーにし、ＤＷＤＤ信号の再生を開始する（Ｓ３０９）。また、コントローラ１２は再生開始時点のオフセットが０になるようにオフセット発生回路８を設定する。
【００３４】
再生を開始すると、コントローラ１２はアドレス再生回路１３のアドレスを監視し、開始アドレスから終了アドレスまでセグメント番号が６４増える毎にオフセットを変更する。また、ＲＦ信号品位検出回路１１でその度にＲＦ信号品位の検出を行い、コントローラ１２はその結果をオフセットと合わせて取得保持する（Ｓ３１０〜Ｓ３１３）。オフセットの変更方法は記録時と同じとする。
【００３５】
１トラックの最後のセグメントまで再生を終了すると、コントローラ１２は保持した全てのＲＦ信号品位検出結果を比較し、そのうち最良のＲＦ信号品位検出結果、即ち、最も再生品位の良い時のトラックオフセット量を最適トラックオフセット量として決定する。コントローラ１２はこれを記録時の最適オフセット量として図示しないメモリに記憶させる（Ｓ３１４）。情報を記録する時には、コントローラ１２はメモリに記憶している最適トラックオフセット値をオフセット発生回路８に設定し、記録時における最適トラックオフセット値を用いてトラッキング制御を行う。
【００３６】
この場合の再生品位とは、エラーレートが良いこと、再生信号振幅が大きいこと、ジッター値が良いこと等である。ＲＦ信号品位検出回路１１としては、エラーレート、再生信号振幅、或いはジッターを検出する回路を用い、オフセットの変更の度にこれらのエラーレート、再生信号振幅、ジッター等を検出する。
【００３７】
この最適トラックオフセット検出動作は、ディスクが交換された時には、必ず行う必要がある。また、記録動作毎に記録動作前に行っても良い。また、記録動作の間隔が所定時間以上経過した後の、記録動作前等、記録条件が変化した時のみ行うのでも良い。再生時の最適トラックオフセットを検出する場合も同様である。
【００３８】
ここで、ＤＷＤＤ信号の場合、記録と再生が同じトラックの中央でなされた時に最良な状態となる。本実施形態では、以上のように記録と再生で同じ量のトラックオフセットを与えて再生品位を比較することで最適トラックオフセット値を得ており、高密度の磁壁移動型光記録媒体を用いた場合にも、同一装置による記録と再生、或いは他の装置で記録されたデータを良好に再生できる。
【００３９】
次に、再生時における最適トラックオフセットの検出方法について説明する。再生時の最適トラックオフセットの検出はすでに記録された任意のトラックを利用して行う。図５はその処理を示すフローチャートである。図５において、まず、上位装置からの再生コマンドにより再生すべきトラックとその長さが指定される。ユーザーデータは３２Ｋｂｙｔｅ単位で記録されるため、再生もこの単位で行う。
【００４０】
上位装置からの再生コマンドで指定される長さは、この３２Ｋｂｙｔｅ単位の数であり最低で１であるので、オフセット量検出も３２Ｋｂｙｔｅ内で終了しなければならない。３２Ｋｂｙｔｅとセグメントの関係は、ＭＣＡＶ方式のディスクではゾーンによって異なるので、ゾーンに応じてオフセットを変更するセグメント数を変更し、３２Ｋｂｙｔｅ内で所定範囲のオフセットが変更できるように計算する（Ｓ５０１）。例えば、最内周のゾーンでは、３２Ｋｂｙｔｅは６００セグメントに相当し、このセグメントを５０ずつに分けて１２の領域でオフセットを変更するようにする。
【００４１】
また、この場合には、再生コマンドであるので再生すべきトラックには、すでにデータが記録されているはずである。そのデータを用いて最適トラックオフセット量を検出する。まず、そのトラックにシークし（Ｓ５０２）、再生開始アドレスに到達すると（Ｓ５０３）、再生を開始する（Ｓ５０４）。
【００４２】
再生を行う場合には、コントローラ１２は開始アドレスから終了アドレスまで計算で求めたセグメント毎にトラックオフセットを変更しながら再生を行い、その度にＲＦ信号品位検出回路１１でＲＦ信号品位を検出し、その結果をオフセット値と合わせて取得保持する（Ｓ５０５〜Ｓ５０８）。終了アドレスセグメントになると、３２Ｋｂｙｔｅ内で最も再生品位の良い時のトラックオフセット値を最適オフセット量として決定し、これを再生時の最適トラックオフセット値としてメモリに記憶させる（Ｓ５０９）。
【００４３】
ここまでが、再生時の最適トラックオフセット検出処理である。これ以降は、得られた最適トラックオフセット値をオフセット発生回路８に設定し（Ｓ５１０）、指定されたアドレスの再生を行う。この時、最適トラックオフセット量の検出動作により再生すべき先頭アドレスはすでに過ぎているので、再度、再生開始アドレスまでシークし（Ｓ５１１）、再生開始アドレスに到達すると（Ｓ５１２）、再生を開始し（Ｓ５１３）、データを指定長さ分まで再生して終了する（Ｓ５１４）。なお、再生時のトラックオフセット量検出を行わない場合の再生コマンドは、Ｓ５１０からの処理に相当する。
【００４４】
ここで、上位装置からの再生命令は、最低記録単位（３２Ｋｂｙｔｅ）の１〜数百単位の連続したトラック単位で行う。よって、連続したデータの再生時には、３２Ｋｂｙｔｅ単位のデータを１〜数百単位で再生することになる。このようなデータの再生時には、先頭の３２Ｋｂｙｔｅのデータで再生時のトラックオフセットを決定し、後のデータに対しては同じトラックオフセットを使用することで、トラックオフセット量検出の回数を減らすことができる。
【００４５】
また、再生時の最適トラックオフセット量の検出は、上位装置からの命令毎、もしくは上位装置の命令が所定回数に達したら行うようにしてもよい。更に、再生データの長さが所定以上の場合には、再生途中で間欠的に再生トラックオフセット量の検出を行うようにしても良い。このような最適トラックオフセット量検出を削減する根拠は、連続するデータは、同じ装置で同じ時期に記録された可能性が高く、記録時の条件等も同じである可能性が高いので、トラックオフセットも同じ量で良いからである。
【００４６】
このように本実施形態では、記録時はトラックオフセットを印加しながらの３トラック記録、中央トラックの再生による最適再生品位でのトラックオフセット値を用い、再生時には、すでに記録されたデータ（３２Ｋｂｙｔｅ）のトラックオフセットを印加しながらの再生による最適再生品位でのトラックオフセット値を用いることで、記録時、再生時ともに最適トラックオフセット値を用いることができ、単一装置による記録、再生時に最適なトラック位置で記録再生を行うことはもちろんのこと、他の装置で記録されたデータであっても最適なトラッキング位置で再生動作を行うことができる。
【００４７】
（第２の実施形態）
次に、本発明の第２の実施形態について説明する。第２の実施形態の構成は図１と同様である。光ディスク１の構成も図２と同様である。また、第２の実施形態の記録時と再生時の最適トラックオフセット値の検出方法は第１の実施形態と同様であるが、記録と再生時の最適トラックオフセット値の使用方法が第１の実施形態とは異なっている。本実施形態による記録時／再生時の２つのトラックオフセット値の使用方法について図１を用いて説明する。
【００４８】
まず、図示しない上位装置より再生命令がコントローラ１２に発行されると、コントローラ１２は図示しないシークモータ等のシーク手段を制御して光ヘッド２を指定された再生すべきアドレスにアクセスし、アクセスの後、オフセット発生回路８に対して再生時の最適トラックオフセット値を設定する。
【００４９】
再生時の最適トラックオフセット値で再生動作を行い、指定された再生アドレスの再生を終了すると、コントローラ１２は装置を待機状態とする。待機状態とは、例えば、１回転毎に１トラック戻るジャンプ動作を行うことで、最後のトラックに留まるウエイト動作や再生終了トラックからそのままトラッキングを続けるトレース動作等を言う。
【００５０】
次に、再び上位装置から再生命令が発行されると、コントローラ１２は再び光ヘッド２を再生すべきアドレスにアクセスし再生を行う
。この時、すでにトラックオフセット値は再生時の最適オフセット値なので変更する必要はない、また、変更したとしても、同じ値なのでトラッキングサーボに与える影響はない。
【００５１】
次に、今度は記録命令がコントローラ１２に発行されると、コントローラ１２は図示しないシークモータ等のシーク手段を制御して光ヘッド２と磁気ヘッド１４を記録すべきアドレスにアクセスし、そのアクセス後、オフセット発生回路８に記録時の最適トラックトラックオフセット値を設定する。記録時の最適トラックオフセット値で記録動作を行い、指定されたアドレスの記録を終了すると、コントローラ１２は装置を待機状態とする。
【００５２】
次に、再び記録命令が発行されると、コントローラ１２は同様に光ヘッド２と磁気ヘッド１４を記録すべきアドレスへアクセスし、記録動作を行う。この時、すでにトラックオフセット値は記録時の最適オフセット値であるので、変更する必要はない。また、変更したとしても同じ値なので、トラッキングサーボに与える影響はないことは、再生時と同様である。
【００５３】
このように記録時、再生時のトラックオフセット値をそれぞれ記録後、再生後にそのままにしておくことで、記録と再生のトラックオフセットが大きく異なる場合でも、サーボの状態が乱れることがなく、連続して記録／再生を行うことができる。
【００５４】
また、第２の実施形態では、トラックオフセットを変更するタイミングをアクセス後としたが、アクセス開始時にはすでにアクセス後に記録なのか、再生なのかわかっているのでアクセス前であっても良い。また、アクセス中のトラッキング制御がオープン状態であるシーク中にオフセットを変更するようにしても良い。このようにすると、トラッキング制御がオープンの状態でオフセットを変更するので、変更によるトラッキングサーボループへの影響はない。
【００５５】
次に、本発明の実施態様について列挙する。
【００５６】
（実施態様１）
光学的情報記録媒体の記録トラック上に光スポットをトラッキング制御しながら情報の記録及び記録情報の再生を行う光学的情報記録再生装置において、前記光スポットのトラッキング制御を行う手段と、前記情報の記録及び再生を最適に行うためのトラッキング制御のトラックオフセット値を検出する手段とを有し、前記検出手段は前記情報の記録時と再生時とで独立に前記オフセット値を検出することを特徴とする光学的情報記録再生装置。
【００５７】
（実施態様２）
前記独立に検出したオフセット値は、記録時は記録時におけるオフセット値を設定し、再生時には再生時におけるオフセット値を設定してトラッキング制御を行うことを特徴とする実施態様１に記載の光学的情報記録再生装置。
【００５８】
（実施態様３）
前記再生後の待機状態においては、再生時のオフセット値でトラッキング制御を行うことを特徴とする実施態様１に記載の光学的情報記録再生装置。
【００５９】
（実施態様４）
前記記録後の待機状態においては、記録時のオフセット値でトラッキング制御を行うことを特徴とする実施態様１に記載の光学的情報記録再生装置。
【００６０】
（実施態様５）
前記検出手段は、再生時のオフセット値の検出をこれから再生を行う記録トラックにおいて実行することを特徴とする実施態様１に記載の光学的情報記録再生装置。
【００６１】
（実施態様６）
前記検出手段は、再生時のオフセット値の検出を再生時に間欠的に行うことを特徴とする実施態様５に記載の光学的情報記録再生装置。
【００６２】
（実施態様７）
前記検出手段は、再生時のオフセット値の検出をこれから再生を行う先頭の記録トラック或いは記録単位でのみ行うことを特徴とする実施態様５に記載の光学的情報記録再生装置。
【００６３】
（実施態様８）
再生時のオフセット値への変更は、再生すべきトラックへのシーク時に行い、記録時のオフセット値の変更は記録すべきトラックへのシーク時に行うことを特徴とする実施態様１に記載の光学的情報記録再生装置。
【００６４】
【発明の効果】
以上説明したように本発明によれば、情報の記録時と再生時とで独立に最適トラックオフセット値を検出し、記録時、再生時にそれぞれ最適オフセット量でトラッキング制御を行うことにより、同一装置による記録、再生時にそれぞれ最適トラック位置で記録再生を行うことはもちろんのこと、他の装置で記録されたデータであっても最適なトラッキング位置で再生動作を行うことができる。
【００６５】
また、記録時と再生時における最適トラックオフセット値の補正を精度良く短時間で行うことができる。
【００６６】
更に、高密度の磁壁移動型光磁気記録媒体を用いた場合にも、同一装置による記録、再生や、他の装置による記録データの再生を良好に行うことができる。
【図面の簡単な説明】
【図１】本発明による光学的情報記録再生装置の第１の実施形態を示すブロック図である。
【図２】図１の実施形態に用いるサンプルサーボ方式の光ディスクのフォーマットを示す図である。
【図３】第１の実施形態による記録時の最適トラックオフセットの設定処理を示すフローチャートである。
【図４】最適トラックオフセットの検出に用いるオフセット印加の一例を示す図である。
【図５】第１の実施形態による再生時の最適トラックオフセットの設定処理を示すフローチャートである。
【符号の説明】
１  光ディスク
２  光ヘッド
３  検出回路
４  トラッキングエラー検出回路
５  オフセット加算回路
６  位相補償回路
７  クロック検出回路
８  オフセット発生回路
９  ドライバー
１０  スピンドルモータ
１１  ＲＦ信号品位検出器
１２  コントローラ
１３  アドレス再生回路
１４  磁気ヘッド
【図１】
2004272954.tif 000003
【図２】
2004272954.tif 000004
【図３】
2004272954.tif 000005
【図４】
2004272954.tif 000006
【図５】
2004272954.tif 000007